(57)【特許請求の範囲】
【請求項１】
上部フレームの一方の相対する枠部材の両端に延設された端枠に穿設された透孔に挿入された水平軸と該水平軸の両端部に取着されたピニオンを有するコンテナー本体と、相対する側壁側に沿った天板の裏面に形成され、且つ、前記ピニオンが噛み合うラックと短壁側の近傍に形成された仕切り壁とを有する一対の半体蓋部とを有するとともに、前記半体蓋部が前記コンテナー本体を被蓋しない状態にあっては、前記半体蓋部は、コンテナー本体の側壁に沿って、略垂直状態にあるとともに、前記半体蓋部が略垂直状態の場合には、前記仕切り壁に前記ピニオンが当接し、前記略垂直状態の半体蓋部の上部が、前記コンテナー本体の上部フレームより上方に位置するように構成されていることを特徴とする蓋付きコンテナ。
【発明の詳細な説明】
【０００１】
【発明の属する技術分野】
本発明は、各種物品を、運搬、搬送或いは保管するために使用される蓋付きコンテナに関するものである。
【０００２】
【従来の技術】
蓋付きコンテナの一部斜視図である図６を用いて、従来の技術について説明する。
【０００３】
１は、蓋付きコンテナＣを構成する上部が開口された箱状のコンテナ本体であり、コンテナ本体１を形成する平面形状が矩形状の上部フレーム２の一方の相対する枠部材２ａ、２ｂのそれぞれの両端からは、端枠２ａ’、２ｂ’が延設されている。相対する端枠２ａ’、２ｂ’の外側には、円盤状のコロ３ａ、３ｂが、それぞれ、回転自在に或いは固定して配設されている。
【０００４】
４’は、コンテナ本体１を被蓋する蓋４を構成する一対の半体蓋部であり、それぞれ、コンテナ本体１の半分ずつを被蓋するように構成されている。コンテナ本体１を被蓋した際に、互いに接近する半体蓋部４’の相対する辺４ａを除いて、半体蓋部４’の天板４ｂの三方縁からは、天板４ｂに垂直な側壁４ｃが形成されている。半体蓋部４’の相対する側壁４ｃの下端部には、天板４ｂに平行な縁部４ｄが形成されており、天板４ｂと側壁４ｃと縁部４ｄとにより、半体蓋部４’の相対する側壁４ｃの内側に、凹部４ｅが形成されることになる。
【０００５】
上部フレーム２の一方の相対する枠部材２ａ、２ｂに延設された端枠２ａ’、２ｂ’に配設されたコロ３ａ、３ｂを、半体蓋部４’の相対する側壁４ｃの内側に形成された凹部４ｅに嵌合することにより、図６に示されているような、蓋付きコンテナＣが組み立てられる。
【０００６】
なお、コンテナ本体１を被蓋した際に、互いに接近する半体蓋部４’の相対する辺４ａには、必要に応じて、天板４ｂに垂直な係合短壁４ｆが形成されており、もう一方の半体蓋部４’の相対する辺４ａには、係合短壁４ｆが嵌合する溝４ｇ’を有する短壁４ｇが形成されており、係合短壁４ｆが形成されているか、或いは、溝４ｇ’を有する短壁４ｇが形成されているか以外は、蓋４を構成する一対の半体蓋部４’の構造は同じである。
【０００７】
コンテナ本体１を蓋４で被蓋する場合には、図６に示されているような、一対の半体蓋部４’が、共に、開いた状態から、先ず最初に、半体蓋部４’の上部を持って、半体蓋部４’を上方に引き上げると、半体蓋部４’の相対する側壁４ｃの内側に形成された凹部４ｅに嵌合されている、枠部材２ａ、２ｂの端枠２ａ’、２ｂ’に配設されたコロ３ａ、３ｂに案内されながら、半体蓋部４’が上動する。半体蓋部４’を上限まで上動させた状態で、或いは、上動と同時に、又は、上動の途中で、半体蓋部４’を、コンテナ本体１を被蓋する方向に回動させることにより、コンテナ本体１を被蓋することができる。また、コンテナ本体１を開ける場合には、上述した操作と逆に、半体蓋部４’を、枠部材２ａ、２ｂの端枠２ａ’、２ｂ’に配設されたコロ３ａ、３ｂを中心に、回動させながら下降させることにより、図６に示されているように、コンテナ本体１の開口を開くことができる。
【０００８】
【発明が解決しようとする課題】
上述した蓋付きコンテナＣにおいては、コンテナ本体１の開口の半体蓋部４’による開け閉めの際には、半体蓋部４’の係合短壁４ｆ或いは短壁４ｇが、常に、水平なままで上動或いは下動されないと、半体蓋部４’の開閉作業が円滑に行われないことになる。即ち、半体蓋部４’の係合短壁４ｆ或いは短壁４ｇが傾斜していると、半体蓋部４’の相対する側壁４ｃの内面の一方或いは両方が、枠部材２ａ、２ｂの端枠２ａ’、２ｂ’に配設されたコロ３ａ、３ｂに当接し、コロ３ａ、３ｂとかみ合って、半体蓋部４’の円滑な移動が阻止されるという問題が発生する。
【０００９】
本発明の目的は、上述した従来の蓋付きコンテナが有する課題を解決することにある。
【００１０】
【課題を解決するための手段】
本発明は、上述した目的を達成するために、上部フレームの一方の相対する枠部材の両端に延設された端枠に穿設された透孔に挿入された水平軸と該水平軸の両端部に取着されたピニオンを有するコンテナー本体と、相対する側壁側に沿った天板の裏面に形成され、且つ、前記ピニオンが噛み合うラックと短壁側の近傍に形成された仕切り壁とを有する一対の半体蓋部とを有するとともに、前記半体蓋部が前記コンテナー本体を被蓋しない状態にあっては、前記半体蓋部は、コンテナー本体の側壁に沿って、略垂直状態にあるとともに、前記半体蓋部が略垂直状態の場合には、前記仕切り壁に前記ピニオンが当接し、前記略垂直状態の半体蓋部の上部が、前記コンテナー本体の上部フレームより上方に位置するように構成したものである。
【００１１】
【実施例】
以下に、蓋が開いた状態の本発明の蓋付きコンテナの斜視図である図１、蓋が半分開いた状態の本発明の蓋付きコンテナの一部切断面を含む斜視図である図２、本発明の蓋付きコンテナの一部斜視図である図３、本発明の蓋付きコンテナの蓋の開閉作業を説明するための上部フレームの枠部材に沿った部分断面図である図４及び図４と同様の上部フレームの枠部材に沿った部分断面図である図５を用いて、本発明の実施例について説明するが、本発明の趣旨を越えない限り何ら、本実施例に限定されるものではない。なお、上述した図６に示されている蓋付きコンテナと同じ構造を有する部材には、同一符号を使用し、新たな部材についてのみ、追加の符号を用いた。
【００１２】
上部フレーム２の一方の相対する枠部材２ａ、２ｂの両端に延設された端枠２ａ’、２ｂ’に穿設された透孔には、水平軸５が挿入されており、水平軸５の両端部には、それぞれ、ピニオン６が取着されている。７は、相対する側壁４ｃ側に沿った天板４ｂの裏面の隅部付近に形成されたラックである。上述した半体蓋部４’の凹部４ｅ内に、上述した上部フレーム２に配設された回転自在な水平軸５の両端部に取着されたピニオン６を配設し、半体蓋部４’の天板４ｂの裏面に形成されたラック７を噛み合わせる。
【００１３】
８は、半体蓋部４’の凹部４ｅ内において、係合短壁４ｆ或いは溝４ｇ’を有する短壁４ｇ側の近傍に形成された仕切り壁であり、半体蓋部４’が、コンテナ本体１を被蓋しない状態において、略垂直状態の半体蓋部４’の係合短壁４ｆ或いは短壁４ｇが、上部フレーム２より下方に下降するのを阻止するために、図４に示されているように、ピニオン６が仕切り壁８に当接し、係合短壁４ｆ或いは短壁４ｇが、上部フレーム２より、上方に位置するように構成されている。このように、係合短壁４ｆ或いは短壁４ｇが、上部フレーム２より、上方に位置するように構成することにより、略垂直状態の半体蓋部４’を上方に持ち上げて、コンテナ本体１を被蓋する際に、上部フレーム２より、上方に位置している係合短壁４ｆ或いは短壁４ｇを把持することができるので、被蓋作業の作業性が向上する。
【００１４】
コンテナ本体１を蓋４で被蓋する場合には、先ず最初に、半体蓋部４’の上部フレーム２より上方に位置している部分を持って、半体蓋部４’を上方に引き上げると、半体蓋部４’の天板４ｂの裏面に形成されたラック７と噛み合っている、上部フレーム２に配設された水平軸５の両端部に取着されたピニオン６を回転させながら、半体蓋部４’が上動することになり、半体蓋部４’の係合短壁４ｆ或いは短壁４ｇが、常に、水平なままで上動されるので、従って、半体蓋部４’が傾斜して、半体蓋部４’の相対する側壁４ｃの内面の一方或いは両方が、上述したようなコロに当接して、半体蓋部４’の円滑な移動が阻止されるようなことが防止できる。
【００１５】
半体蓋部４’を上限まで上動させた状態で、或いは、上動と同時に、又は、上動の途中で、半体蓋部４’を、コンテナ本体１を被蓋する方向に回動させることにより、図２の右側に位置する半体蓋部４’のように、コンテナ本体１を被蓋することができる。被蓋に際しては、半体蓋部４’の係合短壁４ｆが、既に被蓋済みの右側に位置する半体蓋部４’の短壁４ｇの溝４ｇ’に挿着される。
【００１６】
コンテナ本体１を開ける場合には、上述した操作と逆に、先ず最初に、図２において左側に位置する半体蓋部４’を、ピニオン６を中心に、半時計方向に回動させながら下降させることにより、図２に示されているように、コンテナ本体１を、半分だけ開く。次いで、同様にして、右側に位置する半体蓋部４’を、ピニオン６を中心に、時計方向に回動させながら下降させることにより、図１に示されているように、コンテナ本体１を、全部、開くことができる。
【００１７】
上述した実施例においては、蓋４を、一対の半体蓋部４’により構成した例を用いて、本発明の１実施例について説明したが、一体に形成した単体の蓋とすることもできる。この場合には、上部フレーム２の一方の相対する枠部材２ａ、２ｂの一端のみに端枠２ａ’、２ｂ’を延設し、該端枠２ａ’、２ｂ’に穿設された透孔に、水平軸５を挿入するとともに、該水平軸５の両端部に、それぞれ、ピニオン６を取着することになる。相対する側壁４ｃ側に沿った天板４ｂの裏面の隅部付近には、上述のようにラックが形成されることになる。
【００１８】
なお、上述した構成を有する蓋は、一方の相対する側壁が、上下方向に分割されているとともに、適当なヒンジ部材により連結され、もう一方の相対する側壁が、はね上げ可能に形成された、折り畳み及び組み立て可能な、所謂、折畳みコンテナに適用することもできる。
【００１９】
【発明の効果】
本発明は、以上説明したように構成されているので、以下に記載の効果を奏することができる。
【００２０】
蓋が、常に、水平なままで上動或いは下動されるので、蓋の開閉を円滑に行うことができる。
【図面の簡単な説明】
【図１】図１は蓋が開いた状態の本発明の蓋付きコンテナの斜視図である。
【図２】図２は蓋が半分開いた状態の本発明の蓋付きコンテナの一部切断面を含む斜視図である。
【図３】図３は本発明の蓋付きコンテナの一部斜視図である。
【図４】図４は本発明の蓋付きコンテナの蓋の開閉作業を説明するための上部フレームの枠部材に沿った部分断面図である。
【図５】図５は図４と同様の上部フレームの枠部材に沿った部分断面図である。
【図６】図６は従来の蓋付きコンテナの斜視図である。
【符号の説明】
Ｃ・・・・・・・・蓋付きコンテナ
１・・・・・・・・コンテナ本体
２・・・・・・・・上部フレーム
４・・・・・・・・蓋
４’・・・・・・・半体蓋部
６・・・・・・・・ピニオン
７・・・・・・・・ラック
【図１】
0003785227.tif 000002
【図２】
0003785227.tif 000003
【図３】
0003785227.tif 000004
【図４】
0003785227.tif 000005
【図５】
0003785227.tif 000006
【図６】
0003785227.tif 000007